【手続補正書】
【提出日】平成17年10月3日(2005.10.3)
【手続補正１】
【補正対象書類名】特許請求の範囲
【補正対象項目名】全文
【補正方法】変更
【補正の内容】
【特許請求の範囲】
【請求項１】
改良されたシール膨潤性を有する蒸留物燃料混合物であって、
ａ）  約５より小さい分岐指数を有し、ニトリル・Ｏ−リング・シールを用いた時、ＡＳＴＭ  Ｄ−４７１に従い２３±２℃で７０時間測定して、体積増加が約０．２％より小さい少なくとも一種類の高度にパラフィン性の蒸留物燃料成分、及び
ｂ）  蒸留物沸騰アルキル芳香族、蒸留物沸騰アルキルシクロパラフィン、及びそれらの組合せからなる群から選択された少なくとも一種類の成分、
を含み、然も、前記混合物が、ニトリル・Ｏ−リング・シールを用いた場合、ＡＳＴＭ  Ｄ−４７１に従い２３±２℃で７０時間測定して、約０．２％より大きい体積増加を示す、蒸留物燃料混合物。
【請求項２】
蒸留物燃料混合物が、ニトリル・Ｏ−リング・シールを用いた場合、ＡＳＴＭ  Ｄ−４７１に従い２３±２℃で７０時間測定して、約０．５％より大きい体積増加を示す、請求項１に記載の蒸留物燃料混合物。
【請求項３】
蒸留物燃料混合物が、ニトリル・Ｏ−リング・シールを用いた場合、ＡＳＴＭ  Ｄ−４７１に従い２３±２℃で７０時間測定して、約１．０％より大きい体積増加を示す、請求項１に記載の蒸留物燃料混合物。
【請求項４】
アルキル芳香族が蒸留物沸騰アルキルベンゼンを含む、請求項１に記載の蒸留物燃料混合物成分。
【請求項５】
蒸留物沸騰アルキルシクロパラフィンが、アルキルシクロヘキサン、アルキルシクロペンタン、及びそれらの混合物からなる群から選択されている、請求項１に記載の蒸留物燃料混合物成分。
【請求項６】
更に、アルキル化フェノール、硫黄含有成分、及びそれらの組合せからなる群から選択された酸化防止剤を含み、然も、前記酸化防止剤が硫黄含有成分である場合、蒸留物燃料混合物が約１ｐｐｍより多くの硫黄を含有する、請求項１に記載の蒸留物燃料混合物成分。
【請求項７】
ディーゼル燃料又はジェット燃料の仕様に適合する、請求項１に記載の蒸留物燃料混合物。
【請求項８】
蒸留物沸騰アルキル芳香族、蒸留物沸騰アルキルシクロパラフィン、及びそれらの組合せからなる群から選択された成分が、約１重量％〜約２５重量％の量で存在する、請求項１に記載の蒸留物燃料混合物。
【請求項９】
高度にパラフィン性の蒸留物燃料成分が、約７０重量％より多いパラフィンを含有する、請求項１に記載の蒸留物燃料混合物。
【請求項１０】
混合物が、ＡＳＴＭ  Ｄ−６０７８に従い、２２５ｇ以上の改良された潤滑性を有する、請求項１に記載の蒸留物燃料混合物。
【請求項１１】
ニトリル・Ｏ−リング・シールを用いた場合、ＡＳＴＭ  Ｄ−４７１に従い２３±２℃で７０時間測定して、約０．２％より大きい体積増加を示す蒸留物燃料混合物の製造方法であって、
ａ）  改質可能なフィッシャー・トロプシュ生成物を、接触改質条件で改質にかけて蒸留物沸騰アルキル芳香族を形成すること、
ｂ）  蒸留物沸騰フィッシャー・トロプシュ生成物を、接触異性化条件下で異性化にかけて、高度にパラフィン性の蒸留物燃料を形成すること、及び
ｃ）  前記蒸留物沸騰アルキル芳香族と、前記高度にパラフィン性の蒸留物燃料とを混合して蒸留物燃料混合物を形成すること、
を含む蒸留物燃料混合物製造方法。
【請求項１２】
更に、蒸留物沸騰アルキル芳香族の一部分を、接触水素化条件下で水素化にかけ、蒸留物沸騰アルキルシクロパラフィンを形成すること、及び前記得られたアルキルシクロパラフィンと、前記蒸留物沸騰アルキル芳香族及び高度にパラフィン性の蒸留物燃料とを混合することを含む、請求項１１に記載の方法。
【請求項１３】
アルキル芳香族がアルキルベンゼンを含む、請求項１２に記載の方法。
【請求項１４】
アルキルベンゼンを、水素化にかけてアルキルシクロパラフィンを得る、請求項１３に記載の方法。
【請求項１５】
アルキル芳香族を、オレフィン、アルコール、及びそれら組合せからなる群から選択された物質を含有する供給原料で芳香族をアルキル化することにより製造する、請求項１１に記載の方法。
【請求項１６】
供給原料を、フィッシャー・トロプシュ工程から誘導する、請求項１５に記載の方法。
【請求項１７】
更に、改質可能なフィッシャー・トロプシュ生成物を、改質前に接触水素化処理条件で水素化処理にかけることを含む、請求項１１に記載の方法。
【請求項１８】
オレフィンを、熱分解法により形成されたオレフィン、フィッシャー・トロプシュ生成物から誘導された供給物を用いた熱分解工程により形成されたオレフィン、及びそれらの組合せからなる群から選択する、請求項１５に記載の方法。
【請求項１９】
熱分解工程が、フィッシャー・トロプシュ工程から誘導された重質フィッシャー・トロプシュ生成物を用いる、請求項１８に記載の方法。
【請求項２０】
蒸留物燃料混合物が、ＡＳＴＭ  Ｄ−６０７８に従い、２２５ｇ以上の改良された潤滑性を有する、請求項１１に記載の方法。
【請求項２１】
（ａ）約５より小さい分岐指数を有し、ニトリル・Ｏ−リング・シールを用いた時、ＡＳＴＭ  Ｄ−４７１に従い２３±２℃で７０時間測定して、体積増加が約０．２％より小さい少なくとも一種類の高度にパラフィン性の蒸留物燃料成分、及び（ｂ）蒸留物沸騰アルキル芳香族、蒸留物沸騰アルキルシクロパラフィン、及びそれらの組合せからなる群から選択された少なくとも一種類の成分を混合することを含み、然も、得られた混合物が、ニトリル・Ｏ−リング・シールを用いた場合、ＡＳＴＭ  Ｄ−４７１に従い２３±２℃で７０時間測定して、約０．２％より大きい体積増加を示す、蒸留物燃料混合物のシール膨潤性改良方法。
【請求項２２】
高度にパラフィン性の蒸留物燃料成分が、フィッシャー・トロプシュ工程、オリゴマー化に続く水素化、及びそれらの組合せからなる工程群の一つから形成される、請求項２１に記載の方法。
【請求項２３】
高度にパラフィン性の蒸留物燃料成分が、水素化処理、水素化分解、水素化異性化、オリゴマー化、水素化、及びそれら組合せからなる群から選択された工程により、フィッシャー・トロプシュ生成物から製造される、請求項２１に記載の方法。
【請求項２４】
フィッシャー・トロプシュ生成物が、蒸留物沸騰生成物、又は重質フィッシャー・トロプシュ生成物、又はそれらの組合せであり、パラフィン含有量が約９０重量％より多い、請求項２３に記載の方法。
【請求項２５】
高度にパラフィン性の蒸留物燃料が約４より小さい分岐指数を有する、請求項２１に記載の方法。
【請求項２６】
高度にパラフィン性の蒸留物燃料が約３より小さい分岐指数を有する、請求項２１に記載の方法。
【請求項２７】
蒸留物燃料混合物が、ＡＳＴＭ  Ｄ−６０７８に従い、２２５ｇ以上の改良された潤滑性を有する、請求項２１に記載の方法。
【請求項２８】
蒸留物燃料混合物を製造するための総合的方法であって、
ａ）  軽質芳香族を、オレフィン、アルコール、又はそれらの混合物を含有する軽質フィッシャー・トロプシュ生成物の存在下で接触アルキル化条件でアルキル化にかけてアルキル化流を形成すること、
ｂ）  前記アルキル化流を蒸留にかけて、蒸留物沸騰アルキル芳香族及び改質可能なフィッシャー・トロプシュ生成物を得ること、
ｃ）  前記改質可能なフィッシャー・トロプシュ生成物を、接触改質条件で改質にかけて蒸留物沸騰アルキル芳香族及び軽質芳香族を形成すること、
ｄ）  前記蒸留工程（ｂ）から得られた蒸留物沸騰アルキル芳香族の一部分を、接触水素化条件で水素化にかけて蒸留物沸騰アルキルシクロパラフィンを得ること、
ｅ）  蒸留物沸騰フィッシャー・トロプシュ生成物を、接触異性化条件で異性化にかけて高度にパラフィン性の蒸留物燃料を形成すること、及び
ｆ）  前記蒸留工程（ｂ）から得られた蒸留物沸騰アルキル芳香族、前記改質工程（ｃ）から得られた蒸留物沸騰アルキル芳香族、及びそれらの組合せからなる群から選択された前記蒸留物沸騰アルキル芳香族；前記蒸留物沸騰アルキルシクロパラフィン、及び前記高度にパラフィン性の蒸留物燃料を混合し、蒸留物燃料混合物を形成すること、
を含む、上記総合的方法。
【請求項２９】
前記蒸留工程（ｂ）から得られた蒸留物沸騰アルキル芳香族、前記改質工程（ｃ）から得られた蒸留物沸騰アルキル芳香族、及びそれらの組合せからなる群から選択された蒸留物沸騰アルキル芳香族がアルキルベンゼンを含む、請求項２８に記載の方法。
【請求項３０】
更に、改質工程（ｃ）から得られた蒸留物沸騰アルキル芳香族の一部分を接触水素化条件で水素化にかけ、蒸留物沸騰アルキルシクロパラフィンを得ることを含む、請求項２９に記載の方法。
【請求項３１】
混合工程（ｆ）の蒸留物燃料混合物が、ニトリル・Ｏ−リング・シールを用いた場合、ＡＳＴＭ  Ｄ−４７１に従い２３±２℃で７０時間測定して、約０．２％より大きい体積増加を示す、請求項２８に記載の方法。
【請求項３２】
混合工程（ｆ）の蒸留物燃料混合物が、ニトリル・Ｏ−リング・シールを用いた場合、ＡＳＴＭ  Ｄ−４７１に従い２３±２℃で７０時間測定して、約０．５％より大きい体積増加を示す、請求項３１に記載の方法。
【請求項３３】
更に、改質可能なフィッシャー・トロプシュ生成物を、改質前に接触水素化処理条件で水素化処理にかけることを含む、請求項２８に記載の方法。
【請求項３４】
更に、高度にパラフィン性の蒸留物燃料を、異性化前に接触水素化処理条件で水素化にかけることを含む、請求項２８に記載の方法。
【請求項３５】
更に、工程（ｃ）で形成された軽質芳香族を、反応物として使用するため、工程（ａ）へ再循環することを含む、請求項２８に記載の方法。
【請求項３６】
改良されたシール膨潤性を有する蒸留物燃料混合物であって、
ａ）  約５より小さい分岐指数を有し、ニトリル・Ｏ−リング・シールを用いた時、ＡＳＴＭ  Ｄ−４７１に従い２３±２℃で７０時間測定して、体積増加が約０．５％より小さい少なくとも一種類の高度にパラフィン性の蒸留物燃料成分、及び
ｂ）  蒸留物沸騰アルキル芳香族、蒸留物沸騰アルキルシクロパラフィン、及びそれらの組合せからなる群から選択された少なくとも一種類の成分、
を含み、然も、前記混合物が、ニトリル・Ｏ−リング・シールを用いた場合、ＡＳＴＭ  Ｄ−４７１に従い２３±２℃で７０時間測定して、約０．５％より大きい体積増加を示す、蒸留物燃料混合物。
【請求項３７】
高度にパラフィン性の蒸留物燃料が、約４より小さい分岐指数を有する、請求項３６に記載の蒸留物燃料混合物。
【請求項３８】
高度にパラフィン性の蒸留物燃料が、約３より小さい分岐指数を有する、請求項３６に記載の蒸留物燃料混合物。
【請求項３９】
蒸留物燃料混合物が、ＡＳＴＭ  Ｄ−６０７８に従い、２２５ｇ以上の改良された潤滑性を有する、請求項３６に記載の蒸留物燃料混合物。